(57)【要約】システムと方法は、高帯域シリアル又はパラレルディジタルビデオ放送データ信号が、コンピュータモニタのような低コストディジタル表示装置上でモニタされることを可能とする。システムは、前記ディジタルビデオ放送データ信号から水平及び垂直同期情報とクロックを抽出する手段（１３０）及び、ディジタルビデオデータ信号と水平及び垂直同期情報とクロックをディジタルビジュアルインターフェース（ＤＶＩ）に従うディジタルビデオデータ信号へ変換する送信器を有する。利益のあることに、システムは、ディジタルビデオ放送データ信号を第１の色フォーマットから第２の色フォーマットに変換する色空間変換器（１４０）と；シリアルディジタルビデオ放送データ信号を受信しそして、パラレルノンリターンツーゼロインバーテッド（ＮＲＺＩ）ディジタルビデオデータとパラレルＮＲＺＩディジタルビデオデータに同期したクロックを供給するシリアルビデオデータ受信器と；パラレルＮＲＺＩディジタルビデオデータを受信しそしてそれからフレーム化されたパラレルディジタルビデオデータを供給するＮＲＺＩデスクランブラ（１２０）と；ディジタルビデオデータ信号をディジタル表示装置上に表示するのに適するディジタルビデオフォーマットに変換する走査変換器（１５０）をも有する。
2005506009.tif 000002
【特許請求の範囲】
【請求項１】
ディジタルビジュアルインターフェース（ＤＶＩ）に従う入力を有するディジタルビデオ表示装置上で、シリアルディジタルビデオ放送データ信号をモニタするシステムであって、
前記シリアルディジタルビデオ放送データシンを受信し、パラレルノンリターンツーゼロインバーテッド（ＮＲＺＩ）ディジタルビデオデータと前記パラレルＮＲＺＩディジタルビデオデータに同期したクロックを供給する、シリアルビデオデータ受信器と、
前記パラレルＮＲＺＩディジタルビデオデータを受信し、それからフレーム化されたパラレルディジタルビデオデータを供給する、ＮＲＺＩデスクランブラと、
前記フレーム化されたパラレルビデオデータを、第１の色フォーマットから第２の色フォーマットへ変換する、色空間変換器と、
前記色変換されたフレーム化されたパラレルビデオデータについて水平及び垂直同期信号を発生する同期信号発生器と、
前記色変換されたフレーム化されたパラレルビデオデータを前記ディジタルビデオ表示装置上に表示するのに適する走査フォーマットへ変換する走査変換器と、
前記色変換されたフレーム化されたパラレルビデオデータを受信し、それから前記ディジタルビデオ表示装置へ、ディジタルビジュアル表示信号を供給する、ディジタルビジュアルインターフェースドライバとを有する、システム。
【請求項２】
前記第１の色フォーマットは、４：２：２ＹＵＶ色フォーマットであり、第２の色フォーマットは８：８：８ＲＧＢ色フォーマットである、請求項１に記載のシステム。
【請求項３】
前記シリアルディジタルビデオ放送データ信号は、映画テレビ技術者協会（ＳＭＰＴＥ）２９２Ｍに従うシリアルディジタルビデオデータ信号である、請求項１に記載のシステム。
【請求項４】
前記ディジタルビジュアル表示信号は、４遷移最小化差動信号（ＴＤＭＳ）データストリームを含む、請求項３に記載のシステム。
【請求項５】
前記走査変換器は、前記ディジタルビデオ表示装置から拡張ディスプレイ識別データを受信し、それに応じて、前記色変換されたフレーム化されたパラレルビデオデータをディジタルビデオ表示装置上に表示するのに適する走査フォーマットへ変換する、請求項１に記載のシステム。
【請求項６】
前記走査変換器は、前記色変換されたフレーム化されたパラレルビデオデータを、インターレースされた走査フォーマットから、プログレシブ走査フォーマットへ変換する、請求項１に記載のシステム。
【請求項７】
ディジタルビデオデータ信号を、目標ディジタルビデオディスプレイ上に表示するのに適する形式に処理するディジタルビデオ信号処理装置であって、
前記ディジタルビデオデータ信号から、水平及び垂直同期情報を抽出する手段と、
ディジタルビデオデータ信号及び水平及び垂直同期情報を受信し、それから目標ディジタルビデオディスプレイへＤＶＩに従うディジタルビデオデータ信号を供給する、ディジタルビジュアルインターフェース（ＤＶＩ）送信器と、を有する装置。
【請求項８】
更に、前記ディジタルビデオデータ信号を前記ＤＶＩ送信器に供給する前に、前記ディジタルビデオデータ信号を、第1の色フォーマットから第２の色フォーマットへ変換する色空間変換器を有する、請求項７に記載の装置。
【請求項９】
前記第１の色フォーマットは、４：２：２ＹＵＶ色フォーマットであり、第２の色フォーマットは８：８：８ＲＧＢ色フォーマットである、請求項８に記載の装置。
【請求項１０】
更に、パラレルＮＲＺＩディジタルビデオデータを受信し、それからディジタルビデオデータ信号を供給する、ノンリターンツーゼロインバーテッド（ＮＲＺＩ）デスクランブラを有する、請求項７に記載の装置。
【請求項１１】
更に、シリアルディジタルビデオ放送信号を受信し、パラレルＮＲＺＩディジタルビデオデータをＮＲＺＩデスクランブラへ供給する、シリアルビデオデータ受信器を有する、請求項１０に記載の装置。
【請求項１２】
更に、目標ディジタルビデオディスプレイから拡張拡張ディスプレイ識別データを受信し、それに応じて、ディジタルビデオデータ信号の走査フォーマットを、前記目標ディジタルビデオディスプレイ上に表示するのに適する走査フォーマットに変換する、走査変換器を有する、請求項７に記載の装置。
【請求項１３】
前記走査変換器は、前記ディジタルビデオデータ信号を、インターレースされた走査フォーマットからプログレシブ走査フォーマットへ変換する、請求項１２に記載の装置。
【請求項１４】
前記ディジタルビデオデータ信号は、複数のパラレルビデオデータ線を含む、請求項７に記載の装置。
【請求項１５】
目標ディジタルビデオディスプレイ上に表示するためにディジタルビデオデータ信号を処理する方法であって、
前記ディジタルビデオデータ信号から水平及び垂直同期情報を抽出し、
前記ディジタルビデオデータ信号と水平及び垂直同期情報を、ディジタルビジュアルインターフェース（ＤＶＩ）に従うディジタルビデオデータ信号へ変換する、方法。
【請求項１６】
更に、前記ディジタルビデオデータ信号を、第１の色フォーマットから第２の色フォーマットへ変換する、ことを含む、請求項１５に記載の方法。
【請求項１７】
更に、
シリアルディジタルビデオ放送信号を受信し、それからパラレルノンリターンツーゼロインバーテッド（ＮＲＺＩ）ディジタルビデオデータと前記パラレルＮＲＺＩディジタルビデオデータに同期したクロックを供給し、
前記ディジタルビデオデータ信号を供給するために、前記パラレルＮＲＺＩディジタルビデオデータをデスクランブルする、ことを含む、請求項１５に記載の方法。
【請求項１８】
前記シリアルディジタルビデオ放送信号は、映画テレビ技術者協会（ＳＭＰＴＥ）２９２Ｍ及びＳＭＰＴＥ２５９Ｍ−１９９７に従うディジタルビデオデータ信号の１つである、請求項１７に記載の方法。
【請求項１９】
更に、
前記目標ディジタルビデオディスプレイから、前記目標ディジタルビデオディスプレイ上に表示するのに適する走査フォーマットを示す、拡張ディスプレイ識別データを受信し、
前記ディジタルビデオデータ信号を、前記目標ディジタルビデオディスプレイ上に表示するのに適する走査フォーマットへ変換する、ことを含む、請求項１５に記載の方法。
【請求項２０】
前記ディジタルビデオデータ信号を、前記目標ディジタルビデオディスプレイ上に表示するのに適する走査フォーマットへ変換することは、前記ディジタルビデオデータ信号を、インターレースされた走査フォーマットからプログレシブ走査フォーマットへ変換することを含む、請求項１９に記載の方法。
【請求項２１】
更に、
シリアルディジタルビデオ放送信号を受信し、それからパラレルノンリターンツーゼロインバーテッド（ＮＲＺＩ）ディジタルビデオデータとパラレルＮＲＺＩディジタルビデオデータに同期したクロックを供給し、
前記ディジタルビデオデータ信号を供給するために、前記パラレルＮＲＺＩディジタルビデオデータをデスクランブルする、ことを含む、請求項１９に記載の方法。
【発明の詳細な説明】
【０００１】
本発明は、ビデオ信号配信と表示の分野に関連し、特に、ディジタルビデオ表示装置上に表示するためにディジタルビデオデータ信号を配信し且つ処理することに関連する。
【０００２】
従来のアナログ放送規格からディジタル高精細テレビジョン（ＨＤＴＶ）放送へ移るにつれて、ビデオ信号発生、制作、編集及び配信の全ての面で、アナログシステムからディジタルシステムへ急速に移行する。今日のプロ用テレビジョン技術は、テレビジョンスタジオ、ポストプロダクション設備、及びビデオ記憶設備内の長距離をわたりビデオ信号を送るために、高速非圧縮シリアル（直列）又はパラレル（並列）ディジタルビデオデータ信号伝送を、広く使用する。
【０００３】
映画テレビ技術者協会（ＳＭＰＴＥ）は、これらの形式のデータ伝送について広く採用されるプロトコルを定義しそして、ＳＭＰＴＥは、これらのプロトコルを確立しそして発行した。例えば、ＳＭＰＴＥ２９２Ｍ−１９９８は、”高精細テレビジョンシステムについてのビットシリアルディジタルインターフェース”についての標準プロトコルを定義する。同様に、ＳＭＰＴＥ２６０Ｍ−１９９９は、１１２５／６０高精細プロダクションシステムについての、”ディジタル表現とビットパラレルインターフェース”についての標準プロトコルを定義する。ＳＭＰＴＥ２９２Ｍ−１９９８とＳＭＰＴＥ２６０Ｍ−１９９９は、ここに全てが示されているとして全ての目的のために各々が参照によりここに組み込まれる。また、ＳＭＰＴＥ２９６Ｍ−２００１は、”１２８０ｘ７２０プログレッシブ画像サンプル構造−アナログ及びディジタル表現とアナログインターフェース”についての標準プロトコルを定義しそして、ＳＭＰＴＥ２７４Ｍ−１９９８は、”複数の画像レートについての、１９２０ｘ１０８０走査及びアナログ及びパラレルディジタルインターフェース”についての標準プロトコルを定義する。標準定義システムについては：ＳＭＰＴＥ２５９Ｍ−１９９７は、”１０ビット４：２：２コンポーネント及び４ｆｓｃコンポジットディジタル信号−シリアルディジタルインターフェース”についての標準プロトコルを定義し；ＳＭＰＴＥ２６７Ｍ−１９９５は、”ビットパラレルディジタルインターフェース−コンポーネントビデオ信号４：２：２  １６ｘ９アスペクト比”についての標準プロトコルを定義し；そして、ＳＭＰＴＥ１２５Ｍ−１９９５は、”コンポーネントビデオ信号４：２：２−ビットパラレルディジタルインターフェース”についての標準プロトコルを定義する。
【０００４】
特に、シリアルディジタルビデオ伝送は、長距離について、特に、しばしば好まれる。シリアル伝送がしばしば好まれる１つの理由は、パラレル伝送は、並列ライン間の伝搬遅延差とクロストークによる問題が発生するためである。また、例えば、ＳＭＰＴＥ２７４Ｍ−１９９８は、２０メートルより長くない並列伝送線についての最大長を定義する。更に、シリアル伝送ケーブルは、より少ない線と接続ピンを必要とするので、より軽く且つ低コストにできる。
【０００５】
これらのプロトコルに準拠するデータストリームにより送られる実際のビデオ信号をモニタするために、これらのデータストリームを処理する、特別な、高価なディジタルビデオディスプレイモニタが必要とされる。例えば、組み込みＳＭＰＴＥ−２５９Ｍシリアルディジタルインターフェースを有する、４５０−ライン解像度（標準鮮明度）８”ＳＯＮＹ（Ｒ）ＢＶＭ−８０４５ＱＤビデオディスプレイモニタは、２，８００ドルの現在小売リスト価格を有する。
【０００６】
従って、テレビジョンスタジオ、ポストプロダクション設備、及びビデオ記憶設備で一般的に使用される、高速非圧縮シリアル及びパラレルディジタルビデオデータ信号を、ビデオデータが低コストディジタルビデオ表示装置上に表示されることが可能なフォーマットへ、変換するシステム及び方法を提供することが望ましい。更に、ＳＭＰＴＥ規格に準拠するディジタルビデオデータ信号を、低コストディジタルビデオ表示装置上に表示されることが可能なディジタルビデオデータ信号へ、変換する装置及び方法を提供することが望ましい。他の及び更なる目的と利点は、以後に記載される。
【０００７】
本発明は、高帯域シリアル又はパラレルディジタルビデオ放送データ信号を、コンピュータモニタのような低コストディジタル表示装置上でモニタする方法及びシステムを含む。
【０００８】
本発明の一面では、ディジタルビデオ表示装置上で、シリアルディジタルビデオ放送データ信号をモニタするシステムは、
前記シリアルディジタルビデオ放送データシンを受信し、パラレルノンリターンツーゼロインバーテッド（ＮＲＺＩ）ディジタルビデオデータと前記パラレルＮＲＺＩディジタルビデオデータに同期したクロックを供給する、シリアルビデオデータ受信器と、
前記パラレルＮＲＺＩディジタルビデオデータを受信し、それからフレーム化されたパラレルディジタルビデオデータを供給する、ＮＲＺＩデスクランブラと、
前記フレーム化されたパラレルビデオデータを、第１の色フォーマットから第２の色フォーマットへ変換する、色空間変換器と、
前記色変換されたフレーム化されたパラレルビデオデータについて水平及び垂直同期信号を発生する同期信号発生器と、
前記色変換されたフレーム化されたパラレルビデオデータを前記ディジタルビデオ表示装置上に表示するのに適する走査フォーマットへ変換する走査変換器と、
前記色変換されたフレーム化されたパラレルビデオデータを受信し、それから前記ディジタルビデオ表示装置へ、ディジタルビジュアル表示信号を供給する、ディジタルビジュアルインターフェースドライバとを有する。
【０００９】
本発明の他の面では、ディジタルビデオデータ信号を、目標ディジタルビデオディスプレイ上に表示するのに適する形式に処理するディジタルビデオ信号処理装置は、
前記ディジタルビデオデータ信号から、水平及び垂直同期情報を抽出する手段と、
ディジタルビデオデータ信号及び水平及び垂直同期情報を受信し、それから目標ディジタルビデオディスプレイへＤＶＩに従うディジタルビデオデータ信号を供給する、ディジタルビジュアルインターフェース（ＤＶＩ）送信器と、を有する。
【００１０】
更に、本発明の他の面では、目標ディジタルビデオディスプレイ上に表示するためにディジタルビデオデータ信号を処理する方法は、
前記ディジタルビデオデータ信号から水平及び垂直同期情報を抽出し、
前記ディジタルビデオデータ信号と水平及び垂直同期情報を、ディジタルビジュアルインターフェース（ＤＶＩ）に従うディジタルビデオデータ信号へ変換する。
【００１１】
”ディジタルビジュアルインターフェース（ＤＶＩ）”仕様は、ディジタルディスプレイワーキンググループ（ＤＤＷＧ）により作られ、放送テレビジョン規格に加えて、ディジタルビデオカードを有する計算装置（例えば、パーソナルコンピュータ）のような、ディジタルビデオ源と比較的高価でない表示装置（例えば、モニタ）の間の、ディスプレイ技術に独立で且つ多くのビデオ表示規格を扱う低コスト高速ディジタルビデオ接続のための標準を定義する。”ディジタルビジュアルインターフェース（ＤＶＩ）”仕様は、完全にここで示されているかのように、すべての目的のために、参照によりここに組み込まれる。ＤＶＩ−に従う表示モニタは、高帯域幅（即ち、高データレート）ディジタルビデオデータ信号を受信しかつ表示するので、そのようなモニタは、放送テレビジョンスタジオ、ポストプロダクション設備、又は、ビデオ記憶設備について適する高品質ビデオディスプレイを提供できる。また、ＤＶＩ−に従う表示モニタは、大量に量産されるので、広く利用でき且つ比較的安価であることが期待される。
【００１２】
従って、ＤＶＩ−に従うビデオ入力を有する表示装置は、放送スタジオ、ポストプロダクション設備、又は、ビデオ記憶設備で、高帯域ディジタルビデオデータ信号を表示するための低コスト表示装置の良好な候補として考えられる。
【００１３】
しかしながら、システム及び方法はさらに、ＳＭＰＴＥ２９２Ｍ−１９９８又はＳＭＰＴＥ２５９Ｍ−１９９７ビットシリアルディジタルビデオデータ信号のような、ディジタルビデオ放送データ信号が、ＤＶＩ−に従うビデオ表示モニタ上で表示できるように、ディジタルビデオ放送データ信号を処理する必要がある。
【００１４】
従って、図１は、シリアル又はパラレルディジタルビデオデータ信号を、目標ディジタルビデオディスプレイ上に表示するのに適する形式に処理する好ましい実施例システム１００を示す。システム１００は、ＳＭＰＴＥシリアルデータ受信器１１０、パラレルデータＮＲＺＩ（ノンリターンツーゼロインバーテッド）デスクランブラ及びフレーム化器１２０、同期信号発生器１３０、色空間変換器１４０、走査変換器１５０、及び、ＤＶＩ送信器１６０を有する。有益なことに、システム１００は、全ディジタルビデオデータ信号処理システムを有する。
【００１５】
ＳＭＰＴＥシリアルデータ受信器１１０は、シリアルディジタルビデオデータ信号を受信し、こらは、ＳＭＰＴＥ２９２Ｍ−１９９８又は、ＳＭＰＴＥ２５９Ｍ−１９９７に従うビットシリアルディジタルビデオデータ信号のような、シリアルディジタルビデオ放送データ信号でもよい。ＳＭＰＴＥシリアルデータ受信器１１０は、データクロックを抽出しそして、受信されたシリアルディジタルビデオ放送データ信号を逆シリアル化してパラレルノンリターンツーゼロインバーテッド（ＮＲＺＩ）ディジタルビデオデータとパラレルＮＲＺＩディジタルビデオデータに同期したクロック−例えば、パラレル（２０ビット）ビデオデータストリーム及びクロック、を形成する。有益なことに、ＳＭＰＴＥシリアルデータ受信器１１０は、Ａｐｐｌｉｅｄ  Ｍｉｃｒｏ  Ｃｉｒｃｕｉｔ（ＡＭＣＣ）社からのＳ８５０１のような集積回路を含む。代わりに、ＧＩＧＡ社からのＧＤ１４５１６ＩＣ又は、Ｇｅｎｎｕｍ社からのＧＳ１５４５／４０ＩＣが、高精細信号の場合のこの段階で使用されることが可能である。ＳＭＰＴＥシリアルデータ受信器１１０は、受信されたディジタルビデオ放送データ信号がシリアルフォーマットである場合（例えば、ＳＭＰＴＥ２９２Ｍ−１９９８；ＳＭＰＴＥ２５９Ｍ−１９９７）にのみ必要とされる。そのようでない場合には、受信されたディジタルビデオ放送データ信号パラレルフォーマットの場合には、それは省略又は迂回されることが可能である。
【００１６】
デスクランブラ／フレーム化器１２０は、パラレルＮＲＺＩディジタルビデオデータを受信しそして、パラレルデータを復号して、フレーム化されたパラレルディジタルビデオデータを形成する。有益なことに、フレーム化されたパラレルディジタルビデオデータは、４：２：２コンポーネントデータストリームを有する。受信されたディジタルビデオ放送データ信号は、ＳＭＰＴＥ２９２Ｍ−１９９８又はＳＭＰＴＥ２５９Ｍ−１９９７標準信号であり、例えば、受信されたデータは、スクランブルされたノンリターンツーゼロインバーテッド（ＮＲＺＩ）フォーマットを使用して符号化されている。ＳＭＰＴＥ２９２Ｍ−１９９８及びＳＭＰＴＥ２５９Ｍ−１９９７標準に従って、Ｇ１＝ｘ９＋ｘ４＋１の形式の生成多項式が、ＮＲＺデータをスクランブルするのに使用される。極性の自由なスクランブルされたＮＲＺＩシーケンスデータは、第２の生成多項式Ｇ２＝Ｘ＋１により発生される。従って、デスクランブラ／フレーム化器１２０は、受信されたデータへ、それをデスクランブルするために、逆多項式関数を適用する。デスクランブラ／フレーム化器１２０は、例えば、専用のフィールドプログラマブルゲートアレイ（ＦＰＧＡ）、プログラマブルロジックデバイス（ＰＬＤ）又は、特定用途向け集積回路（ＡＳＩＣ）で実行されることが可能であり、又は、上述のＧｉｇａＩＣが使用されるときには、ＳＭＰＴＥシリアルデータ受信器１００と共に実行されることが可能である。ディジタルビデオ放送データ信号は、元々、パラレルフォーマットで受信される場合には、デスクランブラ／フレーム化器１２０は必要とされず、省略又は迂回される。
【００１７】
同期信号発生器１３０は、フレーム化されたパラレルディジタルビデオデータとクロックを受信し、そして、パラレルビデオデータストリームに埋め込まれた同期情報を抽出し、そして、それから、水平（Ｈ）及び垂直（Ｖ）同期信号を発生する。受信された信号が、シリアル又はパラレル高精細又は標準鮮明度のいずれかのＳＭＰＴＥに従うディジタルビデオデータ信号である場合には、同期信号発生器１３０の同期抽出器構成要素は、データストリーム内の活性化ビデオの開始（ＳＡＶ）と活性化ビデオの最後（ＥＡＶ）タイミング基準信号を検出し、能動ビデオから垂直及び水平基線消去期間を抽出する。ＳＡＶとＥＡＶコードの詳細は、例えば、ＳＭＰＴＥ２９２Ｍ−１９９８の図２及びテーブル２に記載されている。ＳＡＶ及びＥＡＶタイミング基準信号から適切なタイミングを得た後に、同期信号発生器１３０は、水平（Ｈ）及び垂直（Ｖ）同期信号及び、ＥＡＶコードと後続のＳＡＶコードの間の時間差に等しいパルス幅を有するデータイネーブル信号を発生する。有益なことに、同期信号発生器１３０は、クロック信号により駆動されるカウンタを有し、適切なタイミングのＨ及びＶ同期信号を発生する。同期信号発生器１３０は、例えば、ＦＰＧＡ、ＰＬＤ又は、専用のＡＳＩＣを使用して、実行される。
【００１８】
ＳＭＰＴＥ２９２Ｍ−１９９８標準信号については、当業者には知られているように、例えば、ビデオデータは、４：２：２：ＹＵＶ色空間である（Ｙは毎画素でサンプルされ、ＵとＶは各ラインで水平に１画素おきにサンプルされる）。しかしながら、多くのＤＶＩ装置は、例えば、８：８：８ＲＧＢカラーフォーマットのような、赤／緑／青（ＲＧＢ）色空間で受信されるビデオデータを要求する。確かに、ＤＶＩ標準それ自身は、ＤＶＩシステムは、ＶＥＳＡ  ＥＤＩＥ仕様に規定されているように、少なくとも、２４−ビットＭＳＢ整列されたＲＧＢ色フォーマットを扱わなければならないことを述べている。（しかしながら、いくつかのＤＶＩモニタは、非ＲＧＢ色フォーマットを扱え、そして、その場合には、色変換が必要とされない）。それゆえに、しばしば、受信されたビデオデータを、第１（例えば、ＹＵＶ）色空間から、第２（例えば、ＲＧＢ）色空間へ変換することが必要である。
【００１９】
従って、システム１００は、有益に、色変換を実行する、色空間変換器１４０を有する。有益なことに、色空間変換器１４０は、２０−ビットＹＵＶビデオデータワードを入力しそれに応じて対応する２４ビットのＲＧＢビデオデータ（ＲＧＢ色フォーマット）を出力するルックアップテーブルを含みうる。また、有益なことに、色空間変換器１４０についての入力クロックと出力クロックは、同じ周波数を有する。また、有益なことに、色空間変換器１４０は、２４ビットの奇数ＲＧＢビデオ画素データと２４ビットの偶数ＲＧＢビデオ画素データの両方を含む４８−ビットパラレルデータを出力しうる。色空間変換器１４０は、ＦＰＧＡ，ＰＬＤ又は、専用のＡＳＩＣで実行されうる。
【００２０】
受信されたディジタルビデオ放送データ信号は、例えば、インターレースで走査された１０８０ライン（１０８０ｉ）のような、任意の数の良く知られたビデオ走査フォーマットを有しうる。しかしながら、目標ディジタルビデオディスプレイは、例えば、プログレシブ走査された９８０ライン（９８０ｐ）のような、異なるビデオ走査フォーマットのみを扱っても良い。その場合には、目標ディジタルビデオディスプレイ上にディジタルビデオ放送データ信号を適切に表示するためには、走査変換が必要である。
【００２１】
従って、目標ディジタルビデオディスプレイが、システム１００により受信された、受信されたディジタルビデオデータ信号の走査フォーマットを扱えない場合には、走査変換器１５０は必要な走査変換を実行する。走査変換器１５０は、色空間変換器１４０から受信された、色変換されたフレーム化されたパラレルビデオデータを、目標ディジタルビデオディスプレイ上に表示するのに適する走査フォーマットへ変換する。有益なことに、目標ディジタルビデオディスプレイがＤＶＩに従う表示モニタであるときには、走査変換器１５０は、目標ディジタルビデオディスプレイから、ディスプレイによりサポートされている１つ又はそれ以上の走査フォーマットを示す、拡張ディスプレイ識別データ（ＥＤＩＤ）を受信する。また有益なことに、走査変換器１５０はデインターリーバとスケーラを有する。走査変換器１５０を、商業的に入手できる集積回路を使用して実行できる。例えば、目標ディジタルビデオディスプレイが受信されたディジタルビデオデータ信号の走査フォーマットを扱えるときには、走査変換器１５０は省略又は迂回される。
【００２２】
ＤＶＩ送信器１６０は、色変換されたフレーム化されたパラレルビデオデータ、同期信号、及びデータクロックを受信し、そして、それらを、３つの低電圧遷移最小化ディジタル信号（ＴＭＤＳ）シリアルデータストリームとＴＭＤＳクロックへ変換する。有益なことに、ＤＶＩ送信器は、ＤＶＩに従うディジタルビデオデータ信号を、目標ディジタルビデオディスプレイへ供給する。ＤＶＩに従うディジタルビデオデータ信号は、ビデオ画素データ（例えば、ＲＧＢデータ）の３つのストリームと同期データを含む４つのツイストペア線と、クロックを含む。ＤＶＩ送信器１６０は、例えば、Ｓｉｌｉｃｏｎ  ＩｍａｇｅからのＳＩ１６０集積回路を使用して、実行されることが可能である。
【００２３】
ＤＶＩに従うディジタルビデオデータ信号は、そして、コンピュータモニタのような、目標のＤＶＩに従うディジタルビデオディスプレイの入力に供給される。従って、システム１００は、テレビジョンスタジオ、ポストプロダクション設備及びビデオ記憶設備で一般的に使用されている（例えば、ＳＭＰＴＥ２９２Ｍ−１９９８及びＳＭＰＴＥ２５９Ｍ−１９９７標準ビデオ信号）のような、高速非圧縮シリアル及びパラレルディジタルビデオデータ信号を、ビデオデータがＤＶＩに従うコンピュータモニタのような低コストディジタル表示装置で表示されることが可能なフォーマットへ変換できる。
【００２４】
図２は、ＤＶＩに従う入力を有するコンピュータディスプレイモニタのような目標ディジタルビデオディスプレイ上に表示するためにディジタルビデオ信号を処理する方法２００のフローチャートを示す。この方法２００は、上述のシステム１００を使用して達成される。従って、上述の方法２００の種々のステップは、ここでは繰り返さない。
【００２５】
好ましい実施例がここに開示されたが、本発明の概念と範囲内にある、多くの変形が、可能である。そのような変形は、明細書、図面及び請求項を見た後には当業者には明らかとなろう。従って、本発明は、添付の請求項の精神と範囲内を除いて、制限されない。
【図面の簡単な説明】
【００２６】
【図１】ディジタルビデオデータ信号を目標ディジタルビデオディスプレイ上に表示するのに適するフォーマットに処理するシステムの機能ブロック図である。
【図２】ディジタルビデオデータ信号を目標ビデオディスプレイ上に表示するために処理する方法のフローチャートである。
【図１】
2005506009.tif 000003
【図２】
2005506009.tif 000004
【国際公開パンフレット】
2005506009.tif 000005
2005506009.tif 000006
2005506009.tif 000007
2005506009.tif 000008
2005506009.tif 000009
2005506009.tif 000010
2005506009.tif 000011
2005506009.tif 000012
2005506009.tif 000013
2005506009.tif 000014
2005506009.tif 000015
2005506009.tif 000016
2005506009.tif 000017
2005506009.tif 000018
【国際調査報告】
2005506009.tif 000019
2005506009.tif 000020
2005506009.tif 000021